(57)【要約】【課題】洗浄水の噴射により食器類の洗浄を行う食器洗い機において、従来と同程度の大きさの洗浄ポンプで広範囲に、洗浄に必要十分な水量および噴射力の洗浄水を噴射する。【解決手段】洗浄槽８内に洗浄水を噴射する第１の洗浄ノズル１０および第２の洗浄ノズル１１を略同一平面内に回転自在に配設し、第１の吐出口１７および第２の吐出口１８を有する洗浄ポンプ１４の第１の吐出口１７を第１の洗浄ノズル１０に接続するとともに、第２の吐出口１８を第２の洗浄ノズル１１に接続し、洗浄ポンプ１４により、第１の洗浄ノズル１０、第２の洗浄ノズル１１のいずれかへ洗浄水を切り換えて供給するよう構成する。【選択図】図１
2006110365.tif 000002
【特許請求の範囲】
【請求項１】
洗浄槽内に略同一平面内に回転自在に配設し洗浄水を噴射する第１の洗浄ノズルおよび第２の洗浄ノズルと、洗浄水を吐出する２つの吐出口を有する洗浄ポンプとを備え、前記洗浄ポンプの一方の吐出口を前記第１の洗浄ノズルに接続するとともに、他方の吐出口を前記第２の洗浄ノズルに接続し、前記洗浄ポンプは、前記第１の洗浄ノズル、第２の洗浄ノズルのいずれかへ洗浄水を切り換えて供給するよう構成した食器洗い機。
【請求項２】
第１の洗浄ノズルと第２の洗浄ノズルとの噴射能力が異なるようにした請求項１記載の食器洗い機。
【請求項３】
第１の洗浄ノズルと第２の洗浄ノズルとは、洗浄水を噴射する複数の噴射口を有し、かつ第１の洗浄ノズルと第２の洗浄ノズルとで噴射口の数が異なるようにした請求項２記載の食器洗い機。
【請求項４】
洗浄槽内に配置し食器を収納する食器かごを備え、前記食器かごは、略同一平面上に配設した第１の洗浄ノズルまたは第２の洗浄ノズルの洗浄水供給範囲に対応する位置に仕切を設けた請求項１〜３のいずれか１項に記載の食器洗い機。
【請求項５】
洗浄ポンプの運転を制御する制御装置を備え、前記制御装置により、第１の洗浄ノズルと第２の洗浄ノズルへの洗浄水の供給時間を異ならせることを可能とした請求項１〜４のいずれか１項に記載の食器洗い機。
【請求項６】
洗浄ポンプは、正逆回転可能とし、かつ、２つの吐出口を正逆回転にそれぞれ対応して洗浄水が吐出されるように構成した請求項１〜５のいずれか１項に記載の食器洗い機。
【発明の詳細な説明】
【技術分野】
【０００１】
本発明は、洗浄水の噴射により食器類の洗浄を行う食器洗い機に関する。
【背景技術】
【０００２】
従来、この種の食器洗い機は図２に示すように構成していた。以下、その構成について説明する。
【０００３】
図２に示すように、洗浄槽１は、前方に開口部を有し、この開口部を扉２により開閉するとともに、内部に洗浄水を噴射する洗浄ノズル３を回転自在に設けており、洗浄槽１内に食器４を収納する食器かご５を配置している。洗浄ポンプ６は洗浄ノズル３に洗浄水を給送するものである。洗浄槽１の下部に残菜（食器４に付着した汚染物を残菜という）を捕集するフィルタ７を設けている。
【０００４】
上記構成において動作を説明すると、洗剤を洗浄槽１内に投入し、洗浄槽１の底部の洗浄水を洗浄ポンプ６によりフィルタ７を介して洗浄ノズル３から噴射させることで、食器４の残菜が洗い落とされる。この残菜を含む洗浄水はフィルタ７で濾過されて洗浄ポンプ６へ循環し、再び洗浄ノズル３から噴射されることを繰り返される。
【発明の開示】
【発明が解決しようとする課題】
【０００５】
一般に、洗浄するための食器の汚れにはいろいろな種類があり、当然、それを洗浄するのに必要なエネルギもいろいろある。例えば、ご飯の汚れは、のり状になり、食器４との結合が強く、強い汚れの種類に含まれる。この汚れを洗浄するためには、かなり多くのエネルギが必要となる。逆に飲料水を飲んだだけのコップでは、少しの洗浄水がかかればその汚れは洗浄できるので、当然ご飯を洗浄するのに必要なエネルギを必要としない。
【０００６】
ところが、従来の構成では、食器かご５のすべての範囲を均一に洗浄することを主眼としているため、洗浄ノズル３は、洗浄ポンプ６から十分な洗浄水を供給されており、洗浄ノズル３の内圧は一定であった。すなわち、本来、食器４の汚れによっては、必要かつ十分な洗浄のためのエネルギの設定が異なるにも関わらず、それらのすべてを洗浄するために、通常食器洗い機にて洗浄する一般的な汚れの中で最も強い食器４の汚れを想定し、その洗浄ができるエネルギに設定していた。
【０００７】
また、従来の洗浄ノズル３の構成では、略正方形の洗浄槽１に洗浄水を噴射するのに適しているが、今後、益々多様化するキッチンの収納スペースに合わせて、洗浄槽１を縦長、または横長の長方形とする必要がある。このとき、長手方向に洗浄水を供給することが困難であるために、洗浄ノズル３を複数個設ける必要があった。
【０００８】
しかし、複数の洗浄ノズルに従来と同じ洗浄ポンプ６を使用して、同じだけの供給水量を確保することは、洗浄ノズルからの噴射力が弱くなり、洗浄行程の時間設定を長くする必要があった。また、複数の洗浄ノズルに従来の１つの洗浄ノズル３と同等の噴射力、流量を維持するためには、洗浄ポンプ６を大型化する必要があった。また、洗浄行程の時間を長くすることは、食器洗い機の全体の運転時間が長くなり、ユーザに対してデメリットになるとともに、エネルギ的にも当然不利になるという問題を有していた。
【０００９】
本発明は上記課題を解決するもので、従来と同程度の大きさの洗浄ポンプで広範囲に、洗浄に必要十分な水量および噴射力の洗浄水を噴射することを目的としている。
【課題を解決するための手段】
【００１０】
本発明は上記目的を達成するために、洗浄槽内に略同一平面内に洗浄水を噴射する第１の洗浄ノズルおよび第２の洗浄ノズルを回転自在に配設し、洗浄水を吐出する２つの吐出口を有する洗浄ポンプの一方の吐出口を第１の洗浄ノズルに接続するとともに、他方の吐出口を第２の洗浄ノズルに接続し、洗浄ポンプは、第１の洗浄ノズル、第２の洗浄ノズルのいずれかへ洗浄水を切り換えて供給するよう構成したものである。
【００１１】
これにより、従来と同程度の大きさの洗浄ポンプで広範囲に、洗浄に必要十分な水量および噴射力の洗浄水を噴射することができる。また、食器の汚れに応じた洗浄力で洗浄することができる。
【発明の効果】
【００１２】
本発明の食器洗い機は、従来と同程度の大きさの洗浄ポンプで広範囲に、洗浄に必要十分な水量および噴射力の洗浄水を噴射することができる。また、食器の汚れに応じた洗浄力で洗浄することができる。
【発明を実施するための最良の形態】
【００１３】
本発明の請求項１に記載の発明は、洗浄槽内に略同一平面内に回転自在に配設し洗浄水を噴射する第１の洗浄ノズルおよび第２の洗浄ノズルと、洗浄水を吐出する２つの吐出口を有する洗浄ポンプとを備え、前記洗浄ポンプの一方の吐出口を前記第１の洗浄ノズルに接続するとともに、他方の吐出口を前記第２の洗浄ノズルに接続し、前記洗浄ポンプは、前記第１の洗浄ノズル、第２の洗浄ノズルのいずれかへ洗浄水を切り換えて供給するよう構成したものであり、従来と同程度の大きさの洗浄ポンプで広範囲に、洗浄に必要十分な水量および噴射力の洗浄水を噴射することができる。
【００１４】
請求項２に記載の発明は、上記請求項１に記載の発明において、第１の洗浄ノズルと第２の洗浄ノズルとの噴射能力が異なるようにしたものであり、食器の汚れに応じて、第１の洗浄ノズルまたは第２の洗浄ノズルに対応した位置に食器を配置することにより、食器の汚れに応じた洗浄力で洗浄することができる。
【００１５】
請求項３に記載の発明は、上記請求項２に記載の発明において、第１の洗浄ノズルと第２の洗浄ノズルとは、洗浄水を噴射する複数の噴射口を有し、かつ第１の洗浄ノズルと第２の洗浄ノズルとで噴射口の数が異なるようにしたものであり、噴射口が多い方の洗浄ノズルより弱い噴射力で広範囲に洗浄水を噴射し、噴射口が少ない方の洗浄ノズルより強い噴射力で洗浄水を噴射することができ、第１の洗浄ノズルまたは第２の洗浄ノズルに対応した位置に食器を配置することにより、食器の汚れに応じた洗浄力で洗浄することができる。
【００１６】
請求項４に記載の発明は、上記請求項１〜３に記載の発明において、洗浄槽内に配置し食器を収納する食器かごを備え、前記食器かごは、略同一平面上に配設した第１の洗浄ノズルまたは第２の洗浄ノズルの洗浄水供給範囲に対応する位置に仕切を設けたものであり、洗浄ノズルに合わせて容易に汚れの異なる食器をセットすることができる。
【００１７】
請求項５に記載の発明は、上記請求項１〜４に記載の発明において、洗浄ポンプの運転を制御する制御装置を備え、前記制御装置により、第１の洗浄ノズルと第２の洗浄ノズルへの洗浄水の供給時間を異ならせることを可能としたものであり、汚れの強さに応じて洗浄水を供給する時間を変えることができ、また、１つのノズルのみ回転させることもできるため、小容量の食器の洗浄を短時間で行うことができる。
【００１８】
請求項６に記載の発明は、上記請求項１〜５に記載の発明において、洗浄ポンプは、正逆回転可能とし、かつ、２つの吐出口を正逆回転にそれぞれ対応して洗浄水が吐出されるように構成したものであり、従来と同程度の大きさの洗浄ポンプで広範囲に、洗浄に必要十分な水量および噴射力の洗浄水を噴射することができる。
【００１９】
（実施の形態１）
以下、本発明の実施の形態１について、図面を参照しながら説明する。
【００２０】
図１に示すように、洗浄槽８は、底面を長方形に形成して前方に開口部を有し、この開口部を扉９により開閉するとともに、内部に洗浄水を噴射する第１の洗浄ノズル１０と、この第１の洗浄ノズル１０と略同一平面内に位置する第２の洗浄ノズル１１とを、それぞれ回転自在に配設しており、洗浄槽８内に食器１２を収納する食器かご１３を配置している。
【００２１】
洗浄ポンプ１４は、第１の洗浄ノズル１０および第２の洗浄ノズル１１に洗浄水を給送するもので、制御装置１５からの信号によって正逆回転を制御される羽根車１６を有し、この羽根車１６の回転する略接線方向に沿って、それぞれ第１の吐出口（吐出口）１７、第２の吐出口（吐出口）１８を設けている。
【００２２】
洗浄ポンプ１４は、洗浄槽８より残菜を捕集するフィルタ１９を介して洗浄水を吸入し、正転時は第１の吐出口１７から第１の洗浄ノズル１０に第１のノズル軸受け２０を介して連通させ、逆転時には第２の吐出口１８から第２の洗浄ノズル１１に第２のノズル軸受け２１を介して連通させている。
【００２３】
また、第１の洗浄ノズル１０および第２の洗浄ノズル１１は、それぞれ洗浄水を噴射する噴射口２２、２３を複数個有し、第１の洗浄ノズル１０に配設した噴射口２２の数を第２の洗浄ノズル１１の噴射口２３の数より多くして、第１の洗浄ノズル１０と第２の洗浄ノズル１１との噴射能力が異なるようにしている。
【００２４】
また、食器かご１３は、略中央部に仕切２４を設け、第１の洗浄ノズル１０の洗浄範囲と、第２の洗浄ノズル１１の洗浄範囲とに分けている。
【００２５】
上記構成において動作を説明すると、制御装置１５からの信号により、洗浄ポンプ１４の羽根車１６を正回転させると、第１の吐出口１７から洗浄水が給送され、この洗浄水を第１のノズル軸受け２０を介して第１の洗浄ノズル１０に供給して噴射すると同時に、第１の洗浄ノズル１０に設けた噴射口２２からの噴射反力により第１の洗浄ノズル１０を回転させる。
【００２６】
同様に、制御装置１５からの信号により、洗浄ポンプ１４の羽根車１６を逆回転させると、第２の吐出口１８から洗浄水が給送され、この洗浄水を第２のノズル軸受け２１を介して第２の洗浄ノズル１１に供給して噴射すると同時に、第２の洗浄ノズル１１に設けた噴射口２３からの噴射反力により第２の洗浄ノズル１１を回転させる。
【００２７】
これにより、第１の洗浄ノズル１０、第２の洗浄ノズル１１のいずれか一方からの洗浄水の水量および水圧は、従来と同等にすることができるため、洗浄ポンプ１４は、従来と同程度の大きさのもので広範囲に、洗浄に必要十分な水量および噴射力の洗浄水を噴射することができる。
【００２８】
また、第１の洗浄ノズル１０と第２の洗浄ノズル１１とでは、噴射口２２、２３の数が異なるため、噴射される洗浄水の洗浄効果も異なり、食器１２の汚れの強さに応じて洗浄力を分けることができ、従来、弱い汚れに対しても強い汚れと同じ分使用していた余分なエネルギを有効に使用することができる。
【００２９】
また、第１の洗浄ノズル１０から噴射する洗浄水の噴射力は、噴射口２２の数が多い分だけ弱いが、食器１２によりまんべんなく洗浄水を当てることができるため、軽い汚れの食器１２を数多く洗浄することができる他、樹脂食器等の軽い食器類を食器かご１３より脱落するのを防止することができる。一方、第２の洗浄ノズル１１から噴射する洗浄水の噴射力は強く、強い汚れの食器を短時間で洗浄することができる。
【００３０】
また、食器かご１３に仕切２４を設けているため、軽い汚れの食器１２を第１の洗浄ノズル１０の洗浄範囲にセットし、強い汚れの食器１２を第２の洗浄ノズル１１の洗浄範囲に容易に分けてセットすることができる。
【００３１】
また、制御装置１５により、強い汚れの食器１２を洗浄する第２の洗浄ノズル１１の運転時間を長くして、さらに洗浄力を向上させたり、第１の洗浄ノズル１０の洗浄範囲にのみ食器１２をセットし、羽根車１６を正回転のみ運転させることで、少容量の食器を短時間で洗浄すること等、食器１２の汚れの強さに応じて洗浄水を供給する時間を変えることができる。
【産業上の利用可能性】
【００３２】
以上のように、本発明にかかる食器洗い機は、従来と同程度の大きさの洗浄ポンプで広範囲に、洗浄に必要十分な水量および噴射力の洗浄水を噴射することが可能となり、また、食器の汚れに応じた洗浄力で洗浄することが可能となるので、食器類の洗浄を行う食器洗い機等として有用である。
【図面の簡単な説明】
【００３３】
【図１】本発明の実施の形態１の食器洗い機の縦断面図
【図２】従来の食器洗い機の縦断面図
【符号の説明】
【００３４】
８  洗浄槽
１０  第１の洗浄ノズル
１１  第２の洗浄ノズル
１４  洗浄ポンプ
１７  第１の吐出口（吐出口）
１８  第２の吐出口（吐出口）
【図１】
2006110365.tif 000003
【図２】
2006110365.tif 000004